(57)【要約】うまく機能し、作製が容易で、高くない、改良型の密閉および密封可能な金属缶設計を提供する。薄壁飲料用金属管は、ネック部(13)に合体する収束肩部(12)を有し、ネック部の上縁は折り畳まれ、環状の橋脚歯を提供するフランジ(15)が形成され、ネジ付スリーブ(14)がネック部分にスライドして入り、スリーブは環状リブ(24)またはキャッチを有し、これにより、フランジ橋脚上で止まり、スリーブおよび缶ネック部が相対的な軸方向の動きに対し保持される。
2005538001.tif 000002
【特許請求の範囲】
【請求項１】
薄ゲージメタルから作製した再密閉可能な飲料用金属缶であって、側壁と、底壁と、側壁から上方にかつ内側に向かって延在する収束肩部と、肩部の上面から上方に存在するネックであって、橋脚歯を提供する下方端を有するフランジを形成するように下方に曲げられた上縁部分を有するネックと、前記ネック内またはその周りに載置されたネジ付プラスチックスリーブと、を有し、前記スリープは、管状部材の中間領域から側方に突出する環状出っ張りを有する開端環状部材を備え、外面の少なくとも一部は、内側にネジの付いたクロージャキャップを収容するように適合されたネジ付部を有し、突出した出っ張りより下方の管状部材の部分は、複数の軸方向に間隔を空けて配置された環状グリップリブを有し、これらにより缶ネック面としっかり係合される、飲料用金属缶。
【請求項２】
前記外に向かって突出する出っ張りは、その外縁に、下方に突出するスカートを含み、該スカートは下方に向かって、前記缶ネックの外面と係合して延在する、請求項1記載の再密閉可能な缶。
【請求項３】
最下リブは、フランジ上を下方にスライドし、軸方向の動きに対しフランジ橋脚歯上でラッチするように適合された管状キャッチを備える、請求項1または2記載の再密閉可能な缶。
【請求項４】
グリップリブは上方に向かって角度がつけられ、フランジに沿って下方にスライドし、上方へ向かう動きに対しフランジ面をとらえるように適合される、請求項1、2または3記載の再密閉可能な缶。
【請求項５】
グリップリブは、断面が概三角形であり、突出した鋭い縁を備える、請求項4記載の再密閉可能な缶。
【請求項６】
ネジ付プラスチックスリーブは、軸方向にネックの開端内に押し込まれることにより缶ネックと結合されるように適合される、請求項1〜5のいずれか一項記載の再密閉可能な缶。
【請求項７】
スリーブと缶ネックの係合面の間に結合剤が提供される、請求項6記載の再密閉可能な缶。
【請求項８】
薄ゲージ金属は、厚さが約0.006〜0.016インチのアルミニウム合金である、請求項1〜7のいずれか一項記載の再密閉可能な缶。
【請求項９】
環状の出っ張りの下方に突出したリップは、隣接する缶ネックと係合する内側突起を含む、請求項2記載の再密閉可能な缶。
【請求項１０】
缶ネックには、相対的な軸方向の動きに対しリップの内側突起と係合する変形部が提供される、請求項9記載の再密閉可能な缶。
【請求項１１】
ネジ付プラスチックスリーブはネック内に載置され、前記グリップリブはネックの内面と係合する、請求項1記載の再密閉可能な缶。
【請求項１２】
ネジ付プラスチックスリーブはネックの外側の周囲に載置され、グリップリブはネジ付スリーブの内面上に載置される、請求項1記載の再密閉可能な缶。
【請求項１３】
ネックは、内に向かって、下方に曲げられた上縁部分を有する、請求項1記載の再密閉可能な缶。
【請求項１４】
ネックは、外に向かって、下方に曲げられた上縁部分を有する、請求項1記載の再密閉可能な缶。
【請求項１５】
ネックの変形部が、ネックを補強する丸められた部分である、請求項10記載の再密閉可能な缶。
【請求項１６】
缶上に載置されたクロージャキャップの外面、出っ張りより下方の管状部材の外面および缶ネックの外面は軸方向に整合される、請求項11記載の再密閉可能な缶。
【請求項１７】
薄ゲージメタルから作製した再密閉可能な飲料用金属缶であって、側壁と、底壁と、側壁から上方にかつ内側に向かって延在する収束肩部と、肩部の上面から上方に存在するネックであって、橋脚歯を提供する下方端を有するフランジを形成するように上方および下方に曲げられた上縁部分を有するネックと、前記ネック内に載置されたネジ付プラスチックスリーブと、を有し、前記スリープは、その面の中間領域から外に向かって突出する環状の出っ張りを有する開端環状部材を備え、突出した出っ張りより上方の外面は内側にネジの付いたクロージャキャップを収容するように適合されたネジ付部を有し、突出した出っ張りより下方の外面は、複数の軸方向に間隔を空けて配置された環状グリップリブを有し、これらにより缶ネックの内面がしっかりと係合され、前記突出した出っ張りは、下方に延在し缶ネックの外面と係合する下方に突出したリップを有し、前記リップは前記フランジ橋脚歯と係合する内に向かって誘導されたキャッチを有し、缶ネックについて軸方向の動きに対しスリーブが保持される、飲料用金属缶。
【請求項１８】
薄ゲージメタルから作製した再密閉可能な飲料用金属缶であって、側壁と、底壁と、側壁から内側に向かって延在する収束肩部であって、下方に曲げられ、橋脚歯を提供する下方端を有するフランジを形成するように下方に曲げられた上縁部分を有する肩部と、前記フランジ内に載置されたネジ付プラスチックスリーブと、を有し、前記スリープは、管状部材の中間領域から側方に突出する環状出っ張りを有する開端環状部材を備え、外面の少なくとも一部は、内側にネジの付いたクロージャキャップを収容するように適合されたネジ付部を有し、管状部材の突出した出っ張りより下方の部分は、複数の軸方向に間隔を空けて配置された環状グリップリブを有し、これらにより前記フランジ面としっかり係合される、飲料用金属缶。
【発明の詳細な説明】
【技術分野】
【０００１】
本発明は薄い壁の飲料用金属缶に関し、特に、容器の中身を密封するためにネジ付き密閉キャップを収容するためのネジ付きネック部を有する飲料用アルミニウム缶に関する。
【背景技術】
【０００２】
アルミニウム缶は、ビール、ソフトドリンクなどのパッケージングに広く使用されており、これらは典型的には、比較的平面のリッドまたは端で密閉されるように適合されている。標準アルミニウム缶は飲料供給者に多くの利点、例えば、低コスト、優れたバリヤ特製、リサイクル性などを提供するが、現在、一定の市場区分では再密閉または再密封可能な缶への関心が高まっている。例えば、ガソリンスタンドまたはコンビニエンスストアで提供される飲料は好ましくは再密閉可能な(好ましくは再密封可能な)様式で提供される。その結果、缶はこれらの小売店ではめったに選択されない容器である。
【０００３】
再密閉可能な缶を設計しようとする試みは多くあったが、これまでのところ、市場への浸透率は非常に限られていた。一般に、そのような改良に追加のコストをかけることは、パッケージが「最高級(high-end)」飲料と一般に呼ばれるものに限定して考えられたものであることを意味する。例えば、最近では、高級(premium)ビールの販売で使用するために瓶タイプが開発されている。しかしなら、そのような缶はコストの低いソフトドリンク市場には浸透していない。
【０００４】
成功するためには、再密閉可能な缶は多くの利点を提供しなければならない。例えば、ペットボトルの貯蔵期間に匹敵する、またはそれより良好な貯蔵期間を提供することができなければならない。クロージャは使用が容易でなければならず、理想的には、密閉後、シール(seal)により炭酸がそれ以上抜けないように阻止すべきである。最後に、パッケージのコストは、現在の缶コストよりわずかに高いにとどまり、許容されるべきである。
【０００５】
再密閉および再密封することができる缶を提供する1つの試みが、1984年6月5日に出願されたロス(Roth)の米国特許第4,452,368号において示されている。この設計は注ぎ口に押し込む中央栓(plug)を有する。
【０００６】
密閉可能な飲料用缶の別の形態が、1999年7月29日に公表された、独公開出願第DE 198 02 953 A1号において示されている。この設計はこの缶の上面の中心に穴を開け、この穴にネジ蓋を備えた再密閉可能なクロージャを適合させる工程を含む。
【０００７】
1999年3月4日に公表されたPCT国際公開公報第99/10242号では、ネジ蓋を使用するさらに別の形態の再密閉可能な缶クロージャが示されている。
【０００８】
2000年1月4日に発行されたディクホフ(Dickoff)らの米国特許第6,010,026号では、様々な異なる形状で作製することができる再密閉可能な缶が示されている。これらは全て、ネジ付クロージャキャップを収容するためのネジ付上面を備えている。
【特許文献１】DE 198 02 953 A1公報
【特許文献２】PCT国際公開公報第99/10242号
【特許文献３】米国特許第6,010,026号公報
【発明の開示】
【発明が解決しようとする課題】
【０００９】
本発明の目的は、うまく機能するが、作製が容易で、高くない、改良型の密閉および密封可能な金属缶設計を提供することである。
【課題を解決するための手段】
【００１０】
本発明は、薄いゲージの金属(thin gauge metal)、例えばアルミニウム合金から作製した再密閉可能な飲料用金属缶を提供する。缶は側壁、底壁、側壁から上方にかつ内側に向かって延在する収束肩部、および肩部の上面から上方に延在するネックを有する。このネックは、内側もしくは外側のいずれかにむかって、下方に曲げられ、橋脚歯を提供する下方端を有するフランジを形成するように曲げられた上縁部分を有する。ネジ付プラスチックスリーブがネック内またはネック上に載置される。このスリーブは、その外面の中間領域から外に向かって突出する環状出っ張り(レッジ、ledge)を有する開端環状部材形態である。突出した出っ張りより上方の外面は、内側にネジの付いたクロージャキャップを収容するように適合されたネジ付部形態である。ネック内に載置されたスリーブでは、突出した出っ張りより下方の外面は、複数の軸方向に間隔を空けて配置された環状グリップリブを有し、これらにより缶ネックの内面としっかりと係合される。最下環状キャッチも備えられ、これによりフランジ橋脚歯と係合され、缶が加圧された時に缶ネックに関し軸方向の動きに対しスリーブが保持される。
【００１１】
外に向かって突出する出っ張りの外縁に、下方に延在し缶ネックの外面と係合する下方に突出するリップまたはスカートを提供することが特に好都合であることが見出されている。スカートは必要に応じて、缶ネック内の橋脚歯表面と係合してもよく、加圧時のネック上部の膨張が阻止される。いずれの配置でも、スカートにより缶をねじって開ける時に握る場所が提供され、開ける時に缶のネック内で管状スリーブが回転する可能性が阻止される。
【００１２】
出っ張りは2つの可能性のある機能を有する。出っ張りはまず、ネジ付管状部材がネックに挿入される時にストップとして機能する。出っ張りはまた、キャップのベース周りの不正開封リングと係合するためのリムとして機能することができる。リングは、キャップが初めて開封された時にキャップから外れるように適合される。
【００１３】
管状グリップリブは好ましくは、上方に向かって角度がつけられ、このため、ネジ付プラスチックスリーブは容易に缶ネックの開端内にスライドして下がり、加圧下で軸方向の上方移動に対しネックの内面がしっかり保持され、気密シールが形成される。これは、ネジ付スリーブを挿入する前にグリップリブに好ましくは塗布される結合剤と共に使用してもよい。ネジ付キャップは、スリーブが缶ネックに連結される前に、ネジ付きスリーブに取り付けられてもよい。
【００１４】
下方に曲がったネック部分の頂縁を、ネックの頂端のための補強材として機能する円形、例えば環状のリムに成形することも好都合である。
【００１５】
ネジ付スリープを突出ネック上に載置するように設計すると、環状グリップリブは下方に突出したスリーブの内面上に存在し、ネックの外面を保持する。下方に曲げられたネック部分は外に向かって下方に曲げられてもよく、スリーブの底面は必要に応じて、下方に曲げられた部分の底縁と係合するためのキャッチを含んでもよい。この設計では、外側および内側に突出する出っ張りが両方存在し、内側の出っ張りがネックの上部と係合し、外側の出っ張りが、上記のように不正開封防止を提供するように適合される。
【００１６】
上記設計のいずれにおいても、ネジ付き管状部材スカートの内面に長軸(軸)方向の複数のリブまたは突起を提供し、ネックに食い込むまたはネック上の合わせリブまたは突起と係合することもでき、缶を開封する間にネジ付管状部材が回転しないようにする。
【００１７】
肩およびネック部を含む缶は、様々な断面形状をとることができる。典型的に、引抜加工、再絞加工、引抜・しごき加工、衝撃押出加工、などの手順により製造される任意の形状を使用してもよい。
【発明を実施するための最良の形態】
【００１８】
図1は、円筒形側壁10、底壁11、上部肩部12およびネック部13を有する金属缶を示す。缶本体を形成するのに使用する金属は好ましくは、初めの厚さが約0.006〜0.20インチ、好ましくは0.010〜0.014インチである3000シリーズのアルミニウム合金である。
【００１９】
図1の缶の上部を図2により詳細に示す。このように、ネック13の上縁部分は内に向かって下方に曲げられ、フランジ部分15が形成され、下部縁26が橋脚歯を提供する。
【００２０】
ネジ付プラスチックスリーブ14がネック13内に載置され、このスリーブは、外面の中間領域から外に向かって突出する環状の出っ張り21を有する開端管状部材20の形態である。突出する出っ張り21より上方の外面は、クロージャキャップ30の内側のネジ切り31を収容するように適合されたネジ付部22を含む。突出する環状の出っ張り21より下方の管状部材20の外面は、複数の軸方向に間隔を空けて配置された環状グリップリブを有し、これらによりフランジ15の内面としっかりと係合され、最下キャッチ24も含み、これによりフランジ橋脚歯26が係合され、缶ネック13に関し軸方向の動きに対しスリーブ20が保持される。
【００２１】
別の態様を図3に示す。この配置では、スカート部分27が缶ネック13の外側の環状の出っ張り21から下方に延在し、そのため、ネックの上端は環状溝内に保持される。フランジ15を形成するネック13の折り畳み構造は、外に向かって丸められたリム部分17を含む。この丸められたリム部分により、ネックならびに橋脚歯が補強され、スカート部分27の底縁で内に向かって誘導されたリップ25と係合する。これにより、内圧がクロージャキャップ30を押すと広がるフランジ15により引き起こされるネック13の伸長成長が阻止される。
【００２２】
図2と同様に、リブ23は隣接する缶金属に食い込み、気密シールが提供され、キャッチ24が橋脚歯26と係合し、プラスチックスリーブがガス圧下で排出されないようにする。グリップリブ23、キャッチ24および缶ネックの丸められたリム17と係合するスカート部27の組み合わせにより、ネジ付プラスチックスリーブ14が缶ネック13に全体的に固定して取り付けられる。
【００２３】
図4は環状出っ張りスカート27とネック部分13との間の異なる保持(gripping)配置を用いた、図3の設計の改良である。この態様では、ネック部分は、スカート部分27の内面上の合わせ環状突起28と係合する環状の窪み16を有する。
【００２４】
顧客に与える魅力のためには、キャップとスリーブの外面がネック部の外表面と同一平面となるきれいな線を有するボトル形状を備えることが望ましい。この缶の一例を図5に示すことができる。この図では、ボトルネックは凹凸のある上方部分35を有し、そのため、スカート部分36は凹凸のある部分35と結合し、スカート部分36の外面37はネック部分13の外面と同一平面となる。この設計の残りは図3および4と同様である。
【００２５】
図6は、ネジ付プラスチックスリーブが突出ネック上に載置されている設計を示したものである。この設計では、缶ネックの部分40が外に向かって下方に曲げられ、橋脚歯41が提供される。ネジ付スリーブは下部環状部分42を有し、複数の軸方向に間隔をあけられた環状グリップリブ43が管状部分42の内面から内に向かって延在する。これらは、上述したのと同じ様式でネック面をしっかりとらえる。下方管状部分の上面には、内側にかつ外に向かって突出する出っ張り44が存在する。出っ張り44から上方に延在するのは、外部ネジ山46を備えた上方管状部分45であり、クロージャキャップ30の内部ネジ切り31を収容するように適合される。
【図面の簡単な説明】
【００２６】
【図１】本発明による典型的な飲料用缶の垂直断面図である。
【図２】缶ネックおよびネジ付スリーブの1つの態様の垂直断面図である。
【図３】缶ネックおよびプラスチックスリーブの別の垂直断面図である。
【図４】缶ネックおよびネジ付プラスチックスリーブの別の態様のさらに別の垂直断面図である。
【図５】プラスチックスリーブが缶ネックと同一平面にある態様の垂直断面図である。
【図６】ネジ付スリーブが缶ネック上で適合する態様の垂直断面図である。
【図１】
2005538001.tif 000003
【図２】
2005538001.tif 000004
【図３】
2005538001.tif 000005
【図４】
2005538001.tif 000006
【図５】
2005538001.tif 000007
【図６】
2005538001.tif 000008
【手続補正書】
【提出日】平成16年7月19日(2004.7.19)
【手続補正１】
【補正対象書類名】特許請求の範囲
【補正対象項目名】全文
【補正方法】変更
【補正の内容】
【特許請求の範囲】
【請求項１】
薄ゲージメタルから作製した再密閉可能な飲料用金属缶であって、側壁と、底壁と、側壁から上方にかつ内側に向かって延在する収束肩部と、肩部の上面に存在するネックであって、橋脚歯を提供する下方端を有するフランジを形成するように下方曲げられた上縁部分を有するネックと、前記ネック内に載置されたネジ付プラスチックスリーブと、を有し、前記スリープは、管状部材の中間領域から外に向かって突出する環状出っ張りを有する開端環状部材を備え、出っ張りより上方の前記スリーブの外面の少なくとも一部は内側にねじの付いたクロージャキャップを収容するように適合され、環状スカートは前記外に向かって突出する出っ張りの外縁から下方に突出し、缶ネックの外面と係合し、突出した出っ張りより下方の管状部材の外面は、缶ネックと係合するための少なくとも1つの環状グリップリブを有し、フランジ上を下方にスライドし、軸方向の動きに対しフランジ橋脚歯上でラッチするように適合された環状リブまたはキャッチを含む、飲料用金属缶。
【請求項２】
上方に向かって角度がつけられ、フランジに沿って下方にスライドし上方へ向かう動きに対しフランジ面をとらえるように適合される、複数の軸方向に空間が空けて配置された複数の環状グリップリブを含む、請求項1記載の再密閉可能な缶。
【請求項３】
グリップリブは、一般に断面が概三角形であり、突出した鋭い縁を備える、請求項2記載の再密閉可能な缶。
【請求項４】
ネジ付プラスチックスリーブは、軸方向にネックの開端内に押し込まれることにより缶ネックと結合されるように適合される、請求項1、2または3に記載の再密閉可能な缶。
【請求項５】
スリーブと缶ネックの係合面の間に結合剤が提供される、請求項4記載の再密閉可能な缶。
【請求項６】
薄ゲージ金属は、厚さが約0.15〜0.51mmのアルミニウム合金である、請求項1〜5のいずれか一項記載の再密閉可能な缶。
【請求項７】
下方に突出するスカートは、隣接する缶ネックと係合する内側突起を含む、請求項1記載の再密閉可能な缶。
【請求項８】
缶ネックには、相対的な軸方向の動きに対しスカートの内側突起と係合する変形部が提供される、請求項7記載の再密閉可能な缶。
【請求項９】
ネックの変形部が、ネックを補強する丸められた部分である、請求項8記載の再密閉可能な缶。
【請求項１０】
缶上に載置されたクロージャキャップの外面、出っ張りより下方の管状部材の外面および缶ネックの外面は軸方向に整合される、請求項1〜9のいずれか一項記載の再密閉可能な缶。
【国際調査報告】
2005538001.tif 000009
2005538001.tif 000010
2005538001.tif 000011